(57)【要約】【課題】前景と背景に異なるノイズが含まれる画像をプリンタに出力する場合に、良好なノイズ除去処理結果を得ることができる印刷システムを提供する。【解決手段】出力制御装置１とプリンタ２が接続され、出力制御装置１からプリンタ言語によって記述されたデータをプリンタ２に送信して印刷する印刷システムにおいて、ノイズが含まれているイメージデータの場合には、前景と背景で異なるノイズ除去処理を行う制御手段１１を備えた。【選択図】        図１
2005022145.tif 000002
【特許請求の範囲】
【請求項１】
出力制御装置とプリンタが接続され、前記出力制御装置からプリンタ言語によって記述されたデータを前記プリンタに送信して印刷する印刷システムにおいて、ノイズが含まれているイメージデータの場合には、前景と背景で異なるノイズ除去処理を行う制御手段を備えたことを特徴とする印刷システム。
【請求項２】
請求項１記載の印刷システムにおいて、背景を近似テクスチャパターンに変換することを特徴とする印刷システム。
【請求項３】
請求項１記載の印刷システムにおいて、背景が白色に近い場合には、背景の描画をスキップすることを特徴とする印刷システム。
【請求項４】
請求項１記載の印刷システムにおいて、前景と背景の領域の指定が可能であることを特徴とする印刷システム。
【請求項５】
請求項４記載の印刷システムにおいて、イメージの特定の座標を指定すると、領域拡張を行いその座標を含む領域が選択されることを特徴とする印刷システム。
【請求項６】
請求項５記載の印刷システムにおいて、前景と背景との境界で濃淡レベルに差がないイメージに対して適切な領域を選択できない場合には、明示的な境界の指定が可能であることを特徴とする印刷システム。
【請求項７】
請求項５記載の印刷システムにおいて、ノイズによる小領域を他の領域にマージすることを特徴とする印刷システム。
【発明の詳細な説明】
【０００１】
【発明の属する技術分野】
本発明は、出力制御装置とプリンタが接続され、出力制御装置からプリンタ言語によって記述されたデータをプリンタに送信して印刷する印刷システムに関するものである。
【０００２】
【従来の技術】
出力制御装置とプリンタが接続され、出力制御装置からプリンタ言語によって記述されたデータをプリンタに送信して印刷するシステム装置に関連する従来技術として、各画素が画像の前景部分に属するか背景部分に属するかの判別を複数の判別方法にて行った上で、前景部分と判別された各画素を抽出するようにしたものがある（例えば、特許文献１参照）。
また、文字エッジ領域と判定されたとき、各帯域のエッジ量に対して、文字領域用のパラメータ（強調係数、ノイズ除去閾値）を適用して周波数特性を補正し、非文字エッジ領域と判定されたとき、各帯域のエッジ量に対して、非文字領域用のパラメータを適用して周波数特性を補正するようにしたものが知られている（例えば、特許文献２参照）。
【特許文献１】特開２００１−１９７３０５公報
【特許文献２】特開２００３−０１８４０３公報
【０００３】
【発明が解決しようとする課題】
前景と背景に異なるノイズが含まれる画像をプリンタに出力する場合、画像全体に同じノイズ除去処理を行うと、良好なノイズ除去処理結果を得ることができない。
本発明は、前景と背景に異なるノイズが含まれる画像をプリンタに出力する場合に、良好なノイズ除去処理結果を得ることができる印刷システムを提供することを目的とする。
【０００４】
【課題を解決するための手段】
上記目的を達成するために、請求項１記載の発明は、出力制御装置とプリンタが接続され、出力制御装置からプリンタ言語によって記述されたデータをプリンタに送信して印刷する印刷システムにおいて、ノイズが含まれているイメージデータの場合には、前景と背景で異なるノイズ除去処理を行う制御手段を備えた印刷システムを最も主要な特徴とする。
請求項２記載の発明は、請求項１記載の印刷システムにおいて、背景を近似テクスチャパターンに変換する印刷システムを主要な特徴とする。
請求項３記載の発明は、請求項１記載の印刷システムにおいて、背景が白色に近い場合には、背景の描画をスキップする印刷システムを主要な特徴とする。
請求項４記載の発明は、請求項１記載の印刷システムにおいて、前景と背景の領域の指定が可能である印刷システムを主要な特徴とする。
請求項５記載の発明は、請求項４記載の印刷システムにおいて、イメージの特定の座標を指定すると、領域拡張を行いその座標を含む領域が選択される印刷システムを主要な特徴とする。
請求項６記載の発明は、請求項５記載の印刷システムにおいて、前景と背景との境界で濃淡レベルに差がないイメージに対して適切な領域を選択できない場合には、明示的な境界の指定が可能である印刷システムを主要な特徴とする。
請求項７記載の発明は、請求項５記載の印刷システムにおいて、ノイズによる小領域を他の領域にマージする印刷システムを主要な特徴とする。
【０００５】
【発明の実施の形態】
以下、図面により本発明の実施の形態を詳細に説明する。
図１は本発明の実施の形態に係る印刷システムの構成図である。本印刷システムは、出力制御装置１とプリンタ２が接続されることで構成されている。本印刷システムでは、出力制御装置１により作成されたプリンタ言語データをプリンタ２が受信し画像形成（印刷）を行うようになっている。
プリンタ２は、コントローラ部１１と画像形成部１２を備えている。コントローラ部１１は、プリンタ言語データを受信し、それを画像形成部１２が画像形成できるようにビットマップデータへ変換を行う。画像形成部１２は、コントローラ部１１から送られてきたビットマップデータに従い画像を形成する。
ここで、コントローラ部１１は、出力制御装置１より送られてきたプリンタ言語データを解釈してディスプレイリストに変換するインタプリタ部２１と、ディスプレイリストを解釈し、ラスタライズを行うラスタライズ部２２と、ラスタライズ後のビットマップを記憶しておくビットマップ記憶部２３を備えている。またインタプリタ部２１は、前景描画コマンド処理部３１と背景描画コマンド処理部３２を有する。
【０００６】
医療画像や航空画像においては、前景と背景でノイズが大きく異なる場合がある。このような場合に前景と背景に同じノイズ除去処理を行うと、全体としてぼやけた画像となったり、ノイズが残ったりしてしまう。そこで、インタプリタ部２１において、プリンタ言語データコマンドが前景か背景かを判断して、各コマンドを前景描画コマンド処理部３１と背景描画コマンド処理部３２の入力とする。前記２つの処理部３１、３２で最適なノイズ除去処理を行うことで、良好な復元結果が期待できる。
また、医療画像などでは、前景のみが評価の対象となる場合がある。このような場合には、背景を近似テクスチャパターンに変換して、高速の印刷を行うことが可能となる。背景が白色の場合には処理をスキップすることで、さらに高速の印刷が可能となる。
前景と背景の分割の判断が難しい場合には、コンピュータの判定では正しい結果が得られない場合がある。そのような場合には、ユーザが明示的に前景と背景を指定することで、分割の精度を向上させることが可能となる。ユーザの指定方法として、前景と背景の境界を指定する方法などがあげられる。
ただ、前述の方法ではユーザの作業量が大きいため、ユーザが特定の座標を指定すると領域拡張を行い、その座標を含む領域が選択されるようにしておくことで、ユーザの作業量を削減できる（図２参照）。ただし、前景と背景との境界に濃淡レベルの差がない部分がある場合にはうまく領域を選択できない。その場合、前段階としてユーザが前述の部分に境界を指定することで正しく領域を選択できる。また、ノイズによって小領域が発生することがあるため、そのような領域は他の領域へマージすることもできる（図３参照）。
【０００７】
【発明の効果】
以上説明したように、請求項１に記載した印刷システムによれば、前景と背景に異なるノイズ除去処理を行うことで良好なノイズ除去処理結果を得ることができる。
請求項２に記載した印刷システムによれば、背景を近似テクスチャパターンに変換することで高速な印刷が可能となる。
請求項３に記載した印刷システムによれば、背景の描画処理をスキップすることで高速な印刷が可能となる。
請求項４に記載した印刷システムによれば、前景と背景をユーザが指定することで精度の良い領域に分割できる。
請求項５に記載した印刷システムによれば、ユーザの領域の指定が簡素化される。
請求項６に記載した印刷システムによれば、領域分割の精度が向上する。
請求項７に記載した印刷システムによれば、領域の過分割を抑止することができる。
【図面の簡単な説明】
【図１】本発明の実施の形態に係る印刷システムの構成図。
【図２】特定の座標を指定するとその座標を含む領域が選択される様子を示す図。
【図３】ノイズによる小領域を他の領域にマージする様子を示す図。
【符号の説明】
１  出力制御装置
２  プリンタ
１１  コントローラ部（制御手段）
１２  画像形成部
【図１】
2005022145.tif 000003
【図２】
2005022145.tif 000004
【図３】
2005022145.tif 000005